【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
ａ）カルボキシルおよびヒドロキシル基を含み、
ａａ）  ａａ１）少なくとも１つのジオール；
ａａ２）少なくとも１つのトリオール；
ａａ３）少なくとも１つのジカルボン酸（コハク酸は除く）および／またはトリカルボン酸および／またはそれらの無水物；
ａａ４）コハク酸；
の反応生成物を含むポリエステルポリオール
ｂｂ）ジメチロール酪酸；
ｃｃ）ヘキサメチレンジイソシアネート≧50モル％を含むポリイソシアネート成分；
の反応生成物を含む、ポリエステル樹脂
ｂ）塩基性中和剤；ならびに
ｃ）水
を含む水性ポリエステルポリウレタン分散体。
【請求項２】
ポリエステルポリオールａａ）は：
ａａ１）1,6-ヘキサンジオール、ネオペンチルグリコールおよび／または1,4-シクロヘキサンジメタノール；
ａａ２）トリメチロールプロパンおよび／またはグリセロール；
ａａ３）イソフタル酸、フタル酸無水物および／またはヘキサヒドロフタル酸無水物；
ａａ４）コハク酸
の反応生成物を含む、請求項１に記載の分散体。
【請求項３】
分散体は有機補助溶媒を含まない、請求項１に記載の分散体。
【請求項４】
ポリエステル樹脂ａ）は、≦22の酸価、≧40mg KOH/gないし≦110mg KOH/gのヒドロキシル価、≧8000g/モルないし≦50000g/モルの重量平均分子量Ｍｗおよび≧6.5重量％ないし≦11重量％のウレタン基含有量（−ＮＨ−Ｃ（Ｏ）−Ｏ−）を有する、請求項１に記載の分散体。
【請求項５】
ポリエステルポリオールａａ）は、≦4の酸価、≧125mg KOH/gないし≦175mg KOH/gのヒドロキシル価および≧2500g/モルないし≦6500g/モルの重量平均分子量Ｍｗを有する分岐ポリエステルポリオールである、請求項１に記載の分散体。
【請求項６】
成分ａ）、ｂ）およびｃ）は、ａ）、ｂ）およびｃ）の重量を基準として次の量： 
ａ）≧35重量％ないし≦65重量％
ｂ）≧0.1重量％ないし≦1.5重量％
ｃ）≧26重量％ないし≦64.9重量％
で存在し、ａ）、ｂ）およびｃ）の割合は合計≦100重量％となる、請求項１に記載の分散体。
【請求項７】
成分ａａ）、ｂｂ）およびｃｃ）は、ａａ）、ｂｂ）およびｃｃ）の重量を基準として次の量：
ａａ）≧77重量％ないし≦89重量％
ｂｂ）≧2.5重量％ないし≦4.5重量％
ｃｃ）≧9重量％ないし≦19重量％
で存在し、ａａ）、ｂｂ）およびｃｃ）の割合は合計≦100重量％となる、請求項１に記載の分散体。
【請求項８】
成分ａａ１）、ａａ２）、ａａ３）およびａａ４）は、ａａ１）、ａａ２）、ａａ３）およびａａ４）の重量を基準として次の量：
ａａ１）≧40モル％ないし≦48モル％
ａａ２）≧8モル％ないし≦16モル％
ａａ３）≧26モル％ないし≦39モル％
ａａ４）≧8モル％ないし≦14モル％
で存在し、ａａ１）、ａａ２）、ａａ３）およびａａ４）の割合は合計≦100重量％となる、請求項１に記載の分散体。
【請求項９】
ウレタン化触媒の存在下においてポリエステルポリオールａａ）、ジメチロール酪酸ｂｂ）およびポリイソシアネート成分ｃｃ）を反応させる工程、次に、塩基性中和剤ｂ）を添加し、水ｃ）を添加する工程を含む、請求項１〜８のいずれか１項に記載の分散体を製造する方法。
【請求項１０】
２成分塗料用バインダーの製造のための、請求項１〜８のいずれか１項に記載の分散体の使用。
【請求項１１】
≧50重量％の固体含有量を有し、
Ａ）≧60重量％ないし≦95重量％の、請求項１〜７のいずれか１項に記載の分散体；
Ｂ）≧5重量％ないし≦40重量％の、少なくとも１つのヒドロキシ反応性架橋樹脂；
Ｃ）Ａ）およびＢ）の固体含有量を基準として≧0重量％ないし≦180重量％の、助剤および添加剤；
（ここで、Ａ）およびＢ）の割合は固体に基づき、Ａ）およびＢ）の重量を基準とし、合計≦100重量％となる）
を含む水性焼付ラッカー。
【請求項１２】
ヒドロキシ反応性架橋樹脂は、１以上の水希釈性または水分散性メラミン-ホルムアルデヒド縮合物を含む、請求項１１に記載の焼付ラッカー。
【手続補正２】
【補正対象書類名】明細書
【補正対象項目名】００７９
【補正方法】変更
【補正の内容】
【００７９】
【表９】
2014510175.tif 000001
本発明の好ましい態様は、以下を包含する。
〔１〕ａ）カルボキシルおよびヒドロキシル基を含み、
ａａ）  ａａ１）少なくとも１つのジオール；
ａａ２）少なくとも１つのトリオール；
ａａ３）少なくとも１つのジカルボン酸（コハク酸は除く）および／またはトリカルボン酸および／またはそれらの無水物；
ａａ４）コハク酸；
の反応生成物を含むポリエステルポリオール
ｂｂ）ジメチロール酪酸；
ｃｃ）ヘキサメチレンジイソシアネート≧50モル％を含むポリイソシアネート成分；
の反応生成物を含む、ポリエステル樹脂
ｂ）塩基性中和剤；ならびに
ｃ）水
を含む水性ポリエステルポリウレタン分散体。
〔２〕ポリエステルポリオールａａ）は：
ａａ１）1,6-ヘキサンジオール、ネオペンチルグリコールおよび／または1,4-シクロヘキサンジメタノール；
ａａ２）トリメチロールプロパンおよび／またはグリセロール；
ａａ３）イソフタル酸、フタル酸無水物および／またはヘキサヒドロフタル酸無水物；
ａａ４）コハク酸
の反応生成物を含む、〔１〕に記載の分散体。
〔３〕分散体は有機補助溶媒を含まない、〔１〕に記載の分散体。
〔４〕ポリエステル樹脂ａ）は、≦22の酸価、≧40mg KOH/gないし≦110mg KOH/gのヒドロキシル価、≧8000g/モルないし≦50000g/モルの重量平均分子量Ｍｗおよび≧6.5重量％ないし≦11重量％のウレタン基含有量（−ＮＨ−Ｃ（Ｏ）−Ｏ−）を有する、〔１〕に記載の分散体。
〔５〕ポリエステルポリオールａａ）は、≦4の酸価、≧125mg KOH/gないし≦175mg KOH/gのヒドロキシル価および≧2500g/モルないし≦6500g/モルの重量平均分子量Ｍｗを有する分岐ポリエステルポリオールである、〔１〕に記載の分散体。
〔６〕成分ａ）、ｂ）およびｃ）は、ａ）、ｂ）およびｃ）の重量を基準として次の量：
ａ）≧35重量％ないし≦65重量％
ｂ）≧0.1重量％ないし≦1.5重量％
ｃ）≧26重量％ないし≦64.9重量％
で存在し、ａ）、ｂ）およびｃ）の割合は合計≦100重量％となる、〔１〕に記載の分散体。
〔７〕成分ａａ）、ｂｂ）およびｃｃ）は、ａａ）、ｂｂ）およびｃｃ）の重量を基準として次の量：
ａａ）≧77重量％ないし≦89重量％
ｂｂ）≧2.5重量％ないし≦4.5重量％
ｃｃ）≧9重量％ないし≦19重量％
で存在し、ａａ）、ｂｂ）およびｃｃ）の割合は合計≦100重量％となる、〔１〕に記載の分散体。
〔８〕成分ａａ１）、ａａ２）、ａａ３）およびａａ４）は、ａａ１）、ａａ２）、ａａ３）およびａａ４）の重量を基準として次の量：
ａａ１）≧40モル％ないし≦48モル％
ａａ２）≧8モル％ないし≦16モル％
ａａ３）≧26モル％ないし≦39モル％
ａａ４）≧8モル％ないし≦14モル％
で存在し、ａａ１）、ａａ２）、ａａ３）およびａａ４）の割合は合計≦100重量％となる、〔１〕に記載の分散体。
〔９〕ウレタン化触媒の存在下においてポリエステルポリオールａａ）、ジメチロール酪酸ｂｂ）およびポリイソシアネート成分ｃｃ）を反応させる工程、次に、塩基性中和剤ｂ）を添加し、水ｃ）を添加する工程を含む、〔１〕〜〔８〕のいずれか１つに記載の分散体を製造する方法。
〔１０〕有機補助溶剤の不存在下において製造を行う、〔９〕に記載の方法。
〔１１〕２成分塗料用バインダーの製造のための、〔１〕〜〔８〕のいずれか１つに記載の分散体の使用。
〔１２〕塗料用バインダーは有機補助溶剤を含まない、〔１１〕に記載の使用。
〔１３〕≧50重量％の固体含有量を有し、
Ａ）≧60重量％ないし≦95重量％の、〔１〕〜〔７〕のいずれか１つに記載の分散体；
Ｂ）≧5重量％ないし≦40重量％の、少なくとも１つのヒドロキシ反応性架橋樹脂；
Ｃ）Ａ）およびＢ）の固体含有量を基準として≧0重量％ないし≦180重量％の、助剤および添加剤；
（ここで、Ａ）およびＢ）の割合は固体に基づき、Ａ）およびＢ）の重量を基準とし、合計≦100重量％となる）
を含む水性焼付ラッカー。
〔１４〕焼付ラッカーは有機補助溶剤を含まない、〔１３〕に記載の焼付ラッカー。
〔１５〕ヒドロキシ反応性架橋樹脂は、１以上の水希釈性または水分散性メラミン-ホルムアルデヒド縮合物を含む、〔１３〕に記載の焼付ラッカー。